(57)【要約】【課題】パンチガイドに対するパンチボディの位置を変更可能としてパンチボディの寿命を伸ばす。【解決手段】パンチボディ２の上端に形成された上下方向のねじ軸７にねじ係合するリング状のパンチヘッド３と、パンチヘッド３を上方に付勢するパンチスプリング４と、パンチボディ２を上下動可能に貫通させた状態でパンチスプリング４を支持するリング状のリテーナカラー５と、リテーナカラー５に着脱可能に取り付けられ、パンチボディ２を上下に摺動可能に支持する筒状のパンチガイド６とを有し、リテーナカラー５が、パンチボディ２に形成された下方に拡径する首部１３を係止してパンチボディ２の上方への移動を規制するプレス金型において、リテーナカラー５を上下に反転して組み込み可能とし、上下に反転して組み込んだリテーナカラー５で上方への移動を規制された状態でのパンチボディ２の位置が、上下に反転しないで組み込んだリテーナカラー５で上方への移動を規制された状態でのパンチボディ２の位置よりも下方にずれるようにする。【選択図】図１
2008068298.tif 000002
【特許請求の範囲】
【請求項１】
パンチボディ（２）の上端に形成された上下方向のねじ軸（７）にねじ係合するリング状のパンチヘッド（３）と、そのパンチヘッド（３）を上方に付勢するパンチスプリング（４）と、前記パンチボディ（２）を上下動可能に貫通させた状態で前記パンチスプリング（４）を支持するリング状のリテーナカラー（５）と、そのリテーナカラー（５）に着脱可能に取り付けられ、前記パンチボディ（２）を上下に摺動可能に支持する筒状のパンチガイド（６）とを有し、前記リテーナカラー（５）が、前記パンチボディ（２）に形成された下方に拡径する首部（１３）を係止して前記パンチボディ（２）の上方への移動を規制するプレス金型において、前記リテーナカラー（５）を上下に反転して組み込み可能とし、上下に反転して組み込んだリテーナカラー（５）で上方への移動を規制された状態での前記パンチボディ（２）の位置が、上下に反転しないで組み込んだリテーナカラー（５）で上方への移動を規制された状態での前記パンチボディ（２）の位置よりも下方にずれるようにしたことを特徴とするプレス金型。
【請求項２】
前記リテーナカラー（５）が、前記パンチスプリング（４）を支持するフランジ部（１０）と、そのフランジ部（１０）の内周から下方に延びる短筒部（１１）と、前記フランジ部（１０）の内周から上方に延びる長筒部（１２）とからなり、前記リテーナカラー（５）を上下に反転しないで組み込んだ状態では前記短筒部（１１）が前記パンチボディ（２）の首部（１３）を係止し、前記リテーナカラー（５）を上下に反転して組み込んだ状態では前記長筒部（１２）が前記パンチボディ（２）の首部（１３）を係止する請求項１に記載のプレス金型。
【請求項３】
パンチボディ（２）の上端に形成された上下方向のねじ軸（７）にねじ係合するリング状のパンチヘッド（３）と、そのパンチヘッド（３）を上方に付勢するパンチスプリング（４）とを有するプレス金型に組み込み可能であり、前記パンチボディ（２）を上下動可能に貫通させた状態で前記パンチスプリング（４）を支持するとともに、前記パンチボディ（２）に形成された下方に拡径する首部（１３）を係止して前記パンチボディ（２）の上方への移動を規制するリテーナカラー（５）において、上下に反転して前記プレス金型に組み込み可能とし、上下に反転して前記プレス金型に組み込んだ状態での前記パンチボディ（２）の位置が、上下に反転しないで前記プレス金型に組み込んだ状態での前記パンチボディ（２）の位置よりも下方にずれるようにしたことを特徴とするリテーナカラー。
【請求項４】
前記パンチスプリング（４）を支持するフランジ部（１０）と、そのフランジ部（１０）の内周から下方に延びる短筒部（１１）と、前記フランジ部（１０）の内周から上方に延びる長筒部（１２）とからなり、上下に反転しないで前記プレス金型に組み込んだ状態では前記短筒部（１１）が前記パンチボディ（２）の首部（１３）を係止し、上下に反転して前記プレス金型に組み込んだ状態では前記長筒部（１２）が前記パンチボディ（２）の首部（１３）を係止する請求項３に記載のリテーナカラー。
【発明の詳細な説明】
【技術分野】
【０００１】
この発明は、プレス加工に用いられるプレス金型、およびそのプレス金型に組み込まれるリテーナカラーに関する。
【背景技術】
【０００２】
プレス加工に用いられるプレス金型として、パンチボディの上端に形成された上下方向のねじ軸にねじ係合するリング状のパンチヘッドと、パンチヘッドを上方に付勢するパンチスプリングと、パンチボディを上下動可能に貫通させた状態でパンチスプリングを支持するリング状のリテーナカラーと、パンチボディを上下に摺動可能に支持する筒状のパンチガイドとを有するプレス金型が多く用いられる。
【０００３】
このプレス金型は、パンチガイドをプレス機械のホルダで支持した状態で、プレス機械のストライカでパンチヘッドを打圧し、その打圧によって、パンチスプリングを圧縮しながらパンチボディを下方に移動させ、パンチボディの下端をワークに加圧接触させる。その後、ストライカを上昇させると、パンチスプリングの復元力によってパンチボディが上昇し、パンチボディの下端がワークから離反する。このとき、リテーナカラーが、パンチボディに形成された下方に拡径する首部を係止してパンチボディの上方への移動を規制し、パンチボディを位置決めする。
【０００４】
また、このプレス金型は、パンチガイドがリテーナカラーに着脱可能に取り付けられており、プレス加工を繰り返し行なってパンチボディの下端の刃先が摩耗すると、パンチガイドを取り外してパンチボディの下端を露出させ、パンチボディの下端を研磨して刃先を再生する。このとき、パンチボディの下端の研磨量に応じてパンチヘッドの上端からパンチボディの下端までの距離（パンチハイト）が小さくなるので、パンチヘッドをパンチボディに対して回転させてパンチハイトを研磨前の大きさに戻す。
【発明の開示】
【発明が解決しようとする課題】
【０００５】
しかし、パンチハイトを研磨前の大きさに戻したときに、パンチヘッドの回転量に応じてパンチボディに対するパンチヘッドの位置が高くなる。そのため、パンチボディの下端の研磨を繰り返して行なうと、パンチヘッドの位置が高くなりすぎてストライカとパンチヘッドの隙間を確保できなくなり、パンチボディの下端の研磨しろがまだ残っている場合にもパンチボディを交換しなければならないという問題があった。
【０００６】
この発明が解決しようとする課題は、パンチガイドに対するパンチボディの位置を変更可能としてパンチボディの寿命を伸ばすことである。
【課題を解決するための手段】
【０００７】
上記の課題を解決するために、前記リテーナカラーを上下に反転して組み込み可能とし、上下に反転して組み込んだリテーナカラーで上方への移動を規制された状態での前記パンチボディの位置が、上下に反転しないで組み込んだリテーナカラーで上方への移動を規制された状態での前記パンチボディの位置よりも下方にずれるようにした。このリテーナカラーは、たとえば、前記パンチスプリングを支持するフランジ部と、そのフランジ部の内周から下方に延びる短筒部と、前記フランジ部の内周から上方に延びる長筒部とで構成し、前記リテーナカラーを上下に反転しないで組み込んだ状態では前記短筒部が前記パンチボディの首部を係止し、前記リテーナカラーを上下に反転して組み込んだ状態では前記長筒部が前記パンチボディの首部を係止するようにすることができる。
【発明の効果】
【０００８】
この発明のプレス金型は、リテーナカラーを上下に反転することによって、リテーナカラーで上方への移動を規制された状態でのパンチボディの位置を下方にずらすことができる。そのため、パンチヘッドの回転操作によってパンチヘッドとストライカの隙間が小さくなったときに、リテーナカラーを上下に反転して組み直すことによって、パンチハイトを維持したままパンチヘッドの位置を下方にずらすことができ、これにより、ストライカとパンチヘッドの隙間を確保し、パンチボディの下端をさらに研磨することが可能となる。
【発明を実施するための最良の形態】
【０００９】
図１に、この発明の実施形態のプレス金型を示す。このプレス金型は、下端に刃先１を有するパンチボディ２と、パンチボディ２の上端に取り付けられたリング状のパンチヘッド３と、パンチヘッド３を上方に付勢するコイル状のパンチスプリング４と、パンチボディ２を上下動可能に貫通させた状態でパンチスプリング４を支持するリング状のリテーナカラー５と、パンチボディ２を上下に摺動可能に支持する筒状のパンチガイド６とを有する。
【００１０】
パンチヘッド３は、パンチボディ２の上端に形成された上下方向のねじ軸７にねじ係合しており、パンチヘッド３をパンチボディ２に対して回転操作することにより、パンチヘッド３の上端からパンチボディ２の下端までの距離（以下「パンチハイト」という）Ｈを変化可能となっている。
【００１１】
また、パンチヘッド３は、図２に示すように、円周の一部を切り離すスリット８を有するＣ形リング状に形成されるとともに、スリット８で切り離された部分がボルト９で連結され、このボルト９を締め込むことにより、パンチヘッド３が縮径してねじ軸７の外周を締め付け、パンチヘッド３の回転操作が禁止された状態にすることができる。
【００１２】
リテーナカラー５は、図３に示すように、円板状のフランジ部１０と、フランジ部１０の内周から下方に延びる短筒部１１と、フランジ部１０の内周から上方に延びる長筒部１２とからなり、フランジ部１０でパンチスプリング４を支持している。また、パンチボディ２に形成された下方に拡径する首部１３を、短筒部１１の首部１３との対向面が係止してパンチボディ２の上方への移動を規制し、パンチボディ２を位置決めしている。
【００１３】
短筒部１１の外周には周方向に連続する溝１４が形成され、溝１４内に保持されたゴム製のリング部材１５が、パンチガイド６の上部内周に形成された周方向に連続する溝１６に係合している。このとき、フランジ部１０は、パンチガイド６の上端面で支持されている。
【００１４】
パンチガイド６は、短筒部１１から下方に引き抜いて溝１６とリング部材１５の係合を解除することにより、リテーナカラー５から取り外すことができ、また、短筒部１１の外周に嵌め合わせて溝１６をリング部材１５に係合させることにより、リテーナカラー５に取り付けることが可能となっている。
【００１５】
また、リテーナカラー５は、長筒部１２の外周にも周方向に連続する溝１７が形成されており、この溝１７内にリング部材１５を保持させ、上下に反転した状態で長筒部１２の外周にパンチガイド６を嵌め合わせて溝１６をリング部材１５に係合させることにより、上下に反転した状態でもパンチガイド６を着脱可能に取り付けることができるようになっている。
【００１６】
このプレス金型によるプレス加工時の動作例を説明する。プレス機械のホルダ（図示せず）でパンチガイド６を支持した状態で、プレス機械のストライカ（図示せず）でパンチヘッド３を打圧し、その打圧によって、パンチスプリング４を圧縮しながらパンチボディ２を下方に移動させ、パンチボディ２の刃先１をワーク（図示せず）に加圧接触させる。その後、ストライカを上昇させると、パンチスプリング４の復元力によってパンチボディ２が上昇し、ワークから刃先１が離反する。このとき、リテーナカラー５の短筒部１１の首部１３との対向面が、パンチボディ２の首部１３を係止してパンチボディ２の上方への移動を規制し、パンチボディ２を位置決めする。
【００１７】
プレス加工を繰り返し行なって刃先１が摩耗すると、リテーナカラー５からパンチガイド６を取り外して刃先１を露出させ、その状態でパンチボディ２の下端を研磨して刃先１を再生する。このとき、研磨量に応じてパンチハイトＨが小さくなるので、ボルト９を緩めた状態でパンチヘッド３を回転操作し、パンチハイトＨを研磨前の大きさに戻す。
【００１８】
パンチボディ２の下端の研磨を繰り返し行なうと、パンチハイトＨを一定に保つためのパンチヘッド３の回転量が大きくなるので、パンチガイド６に対するパンチヘッド３の高さが高くなり、ストライカの下端とパンチヘッド３の上端の隙間が小さくなる。この場合、図４に示すように、リテーナカラー５を上下に反転して組み直すことによって、パンチハイトＨを保持したまま、リテーナカラー５で上方への移動を規制された状態でのパンチボディ２の位置を下方にずらすことができ、これにより、ストライカとパンチヘッド３の隙間を確保して、パンチボディ２の下端をさらに研磨することが可能となる。
【００１９】
このように、このプレス金型は、リテーナカラー５を上下に反転させて組み直すことにより、パンチボディ２に対するパンチヘッド３の位置を下げてパンチヘッド３とストライカの干渉を防止することができる。そのため、パンチボディ２の下端の研磨しろを確保することができ、パンチボディ２の寿命が長い。
【図面の簡単な説明】
【００２０】
【図１】この発明の実施形態のプレス金型の断面図
【図２】図１のII−II線に沿った断面図
【図３】図１のリテーナカラー近傍の拡大断面図
【図４】図１のリテーナカラーの説明図であり、左半分は図１のリテーナカラーを上下に反転しないで組み込んだ状態を示す図、右半分は図１のリテーナカラーを上下に反転して組み込んだ状態を示す図
【符号の説明】
【００２１】
２      パンチボディ
３      パンチヘッド
４      パンチスプリング
５      リテーナカラー
６      パンチガイド
７      ねじ軸
１０    フランジ部
１１    短筒部
１２    長筒部
１３    首部
【図１】
2008068298.tif 000003
【図２】
2008068298.tif 000004
【図３】
2008068298.tif 000005
【図４】
2008068298.tif 000006